(57)【要約】
【課題】  個性的であるとともに、結婚を強く印象付けることができる結婚式用印刷物を提供する。
【解決手段】    結婚式に用いる披露宴用招待状１を挨拶文２が印刷された内紙３と、この内紙３を包む表紙４で構成し、表紙４を開いた際、内紙３に形成する一対の孔７,７に赤い紐８を通し、この赤い紐８に結び目９を形成して披露宴用招待状１を開いた際、結び目９を有する赤い紐８が見えるようにする。これにより、赤い糸の伝説をイメージさせ、結婚という幸福な印象付けることができる。
【選択図】        図１
0003101123.tif 000002
【実用新案登録請求の範囲】
【請求項１】
少なくとも結婚式の披露宴用招待状、席次表、披露宴用メニューを備えた結婚式用印刷物であって、前記披露宴用招待状、席次表、披露宴用メニューに結び目を有する赤い紐が取り付けられていることを特徴とする結婚式用印刷物。
【請求項２】
前記披露宴用招待状が少なくとも招待文等の必要な内容が印刷された内紙と、この内紙を包む封筒型の表紙とを備え、前記内紙が前記表紙の内側に設けられているとともに、前記内紙と前記表紙の少なくとも一方に前記紐が設けられていることを特徴とする請求項１記載の結婚式用印刷物。
【請求項３】
前記席次表が少なくとも席次等の必要な内容が印刷された内紙と、この内紙を包む表紙とを備え、前記内紙が前記表紙の内側に折り畳まれているとともに、前記紐が前記内紙と表紙を綴るように内紙と表紙の縁部に設けられていることを特徴とする請求項１記載の結婚式用印刷物。
【請求項４】
披露宴用メニューが少なくともメニュー等の必要な内容が印刷された内紙と、この内紙を包む表紙とを備えるとともに、前記紐が前記内紙と表紙を綴るように設けられていることを特徴とする請求項１記載の結婚式用印刷物。
【考案の詳細な説明】
【技術分野】
【０００１】
本考案は、結婚式・披露宴で使用する招待状、席次表、披露宴用メニュー及びそれに関連する各種書類を含めた結婚式用印刷物に関する。
【背景技術】
【０００２】
近年、結婚式・披露宴で使用する招待状、席次表、披露宴で提供される会食用のメニューなどは使用する紙質やデザイン、色調などが統一され、これがセットとして使用者に提供されている。このような結婚式用印刷物は、利用者が複数の規格化されたセットのうち、気に入った結婚式用印刷物を選択するようにしている。
【考案の開示】
【考案が解決しようとする課題】
【０００３】
しかしながら、こうした結婚式用印刷物は、デザイン的に平凡なものが多く、また、結婚という幸福感に溢れたイメージを強く印象付けるデザインも少ない。
【０００４】
そこで、本考案は上記のような従来技術の問題点に鑑みて、個性的であるとともに、結婚を強く印象付けることができる結婚式用印刷物を提供することを目的とする。
【課題を解決するための手段】
【０００５】
上記目的を達成するために、本考案の結婚式用印刷物は、少なくとも結婚式の披露宴用招待状、席次表、披露宴用メニューを備えた結婚式用印刷物であって、前記披露宴用招待状、席次表、披露宴用メニューに結び目を有する赤い紐が取り付けられていることを特徴とする。
【０００６】
このように構成した本考案に係る結婚式用印刷物によれば、赤い紐によって赤い糸の伝説をイメージさせて、結婚式の披露宴などにおいて結婚という幸福な印象を参列者に与えることができる。
【０００７】
ここで、前記披露宴用招待状が少なくとも招待文等の必要な内容が印刷された内紙と、この内紙を包む表紙とを備え、これら内紙と表紙が折り畳まれているとともに、前記紐が前記内紙と表紙を綴るように設けられているものであってもよい。
【０００８】
このように構成した場合は、披露宴用招待状が配られた参列者に結婚式の披露宴などにおいて赤い糸の伝説をイメージさせて幸福な印象を与えることができる。
【０００９】
また、前記披露宴用招待状が少なくとも招待文等の必要な内容が印刷された内紙と、この内紙を包む封筒型の表紙とを備え、前記内紙が前記表紙の内側に設けられているとともに、前記内紙と前記表紙の少なくとも一方に前記紐が設けられているものであってもよい。
【００１０】
このように構成した場合は、席次表が配られた参列者に赤い糸の伝説をイメージさせて幸福な印象を与えることができる。
【００１１】
さらに、披露宴用メニューが少なくともメニュー等の必要な内容が印刷された内紙と、この内紙を包む封筒型の表紙とを備えるとともに、前記紐が前記内紙に設けられているものであってもよい。
【００１２】
このように構成した場合は、披露宴用メニューが配られた参列者に赤い糸の伝説をイメージさせて幸福な印象を与えることができる。
【考案の効果】
【００１３】
本考案の請求項１に記載の結婚式用印刷物は、少なくとも結婚式の披露宴用招待状、席次表、披露宴用メニューを備えた結婚式用印刷物であって、前記披露宴用招待状、席次表、披露宴用メニューに結び目を有する赤い紐が取り付けられているものであるから、これら披露宴用招待状、席次表、披露宴用メニューに赤い紐が取り付けることで参列者に赤い糸の伝説をイメージさせて、結婚式の披露宴などにおいて幸福な印象を与えることができる。
【００１４】
ここで、前記披露宴用招待状が少なくとも招待文等の必要な内容が印刷された内紙と、この内紙を包む封筒型の表紙とを備え、前記内紙が前記表紙の内側に設けられているとともに、前記内紙と前記表紙の少なくとも一方に前記紐が設けられているものであってもよい。
【００１５】
このように構成した場合は、披露宴用招待状が配られた参列者に結婚式の披露宴などにおいて赤い糸の伝説をイメージさせて幸福な印象を与えることができる。
【００１６】
また、前記席次表が少なくとも席次等の必要な内容が印刷された内紙と、この内紙を包む表紙とを備え、これら内紙と表紙が折り畳まれているとともに、前記紐が前記内紙と表紙を綴るように設けられているものであってもよい。
【００１７】
このように構成した場合は、席次表が配られた参列者に赤い糸の伝説をイメージさせて幸福な印象を与えることができる。
【００１８】
さらに、披露宴用メニューが少なくとも、メニュー等の必要な内容が印刷された内紙と、この内紙を包む封筒型の表紙とを備えるとともに、前記紐が前記内紙に設けられているものであってもよい。
【００１９】
このように構成した場合は、披露宴用メニューが配られた参列者に赤い糸の伝説をイメージさせて幸福な印象を与えることができる。
【考案を実施するための最良の形態】
【００２０】
以下図面を参照して、本考案の好適な実施形態について説明する。
【００２１】
まず、本考案に係る結婚式用印刷物の一実施形態の構成について、添付図面を参照して説明する。
【００２２】
本考案に係る結婚式用印刷物は、披露宴用招待状１、席次表10、披露宴用メニュー20からなる。
【００２３】
図１及び図２に示すように、披露宴用招待状１は、挨拶文２が印刷された内紙３と、この内紙３を包む表紙４から成り、表紙４は上下に折り返し部５,６を有し、下部の折り返し部６が幅狭に形成され、上部の折り返し部５は内紙３を覆うよう幅広に形成されている。また、前記表紙４の下部の折り返し部６によって挨拶文２が印刷された内紙３が表紙４の内側に位置きめされ、表紙４の内面に糊付けなどの適宜手段によって接着固定している。そして、内紙３に形成する一対の孔７,７に赤い紐８が通してあり、内紙３の前側にて結び目９が形成されている。
【００２４】
席次表10は、図３に示すように、招待者の席次11Ａが印刷された内紙11と、この内紙11を包む表紙12とから成り、表紙12は縦方向に２つ折りして構成されている。この表紙12の内側には内紙11が３つ折りに折り畳まれている。内紙11と表紙12にはそれぞれ縁部となる折り目部分11Ａ,12Ａにそれぞれ対応した孔13が形成され、この孔13に赤い紐14を通し、表紙12の内面側にて赤い紐14の結び目15を形成して内紙11と表紙12とを綴っている。
【００２５】
披露宴用メニュー20は図４に示すように、メニュー等の必要な内容21が印刷された内紙22と、この内紙を包む表紙23と成り、表紙22は縦方向に２つ折りして構成されている。この表紙23の内側には内紙22が２つ折りに折り畳まれている。内紙22と表紙23にはそれぞれ縁部となる折り目部分22Ａ,23Ａにそれぞれ対応した孔24が形成され、この孔24に赤い紐25を通し、表紙12の内面側にて赤い紐25の結び目26を形成して内紙22と表紙23とを綴っている。
【００２６】
このように、披露宴用招待状１、席次表10、披露宴用メニュー20からなる結婚式用印刷物において、披露宴用招待状１、席次表10、披露宴用メニュー20のそれぞれに赤い糸の伝説をイメージさせる赤い紐８,14,25を設けることで、従来にない個性的で結婚という幸福な印象を参列者に与えることができる。
【００２７】
以上、本考案に係る結婚式用印刷物について添付図面を参照して説明してきたが、本考案は上記実施形態に限定されるものではなく、本考案の思想の範囲内で種々の変形実施が可能である。例えば、披露宴用招待状１、席次表10、披露宴用メニュー20の形状、デザインなどは適宜選定すればよい。
【図面の簡単な説明】
【００２８】
【図１】本考案に係る披露宴用招待状を開いた状態の正面図である。
【図２】本考案に係る披露宴用招待状を閉じた状態の正面図である。
【図３】本考案に係る席次表の構成を示し、図３（ａ）は席次表を閉じた状態の正面図、図３（ｂ）は席次表を開いた状態の正面図である。
【図４】本考案に係る披露宴用メニューの構成を示し、図４（ａ）は披露宴用メニューを閉じた状態の正面図、図４（ｂ）は披露宴用メニューを開いた状態の正面図である。
【符号の説明】
【００２９】
１      披露宴用招待状
３,11,22      内紙
４,12,23      表紙
８,14,25      紐
９,15,24      結び目
10      席次表
20      披露宴用メニュー
【図１】
0003101123.tif 000003
【図２】
0003101123.tif 000004
【図３】
0003101123.tif 000005
【図４】
0003101123.tif 000006